(57)【要約】 【課題】  窓を閉め切った状態でも確実に内外気の交換を常に行い、かつ外気が部屋内へ流入する時に花粉や塵埃を確実に除去することを目的とする。【解決手段】  換気小窓Ｗ１の外側と内側のレールＲ１，Ｒ２との間にフィルター１を嵌め込み、さらに、フィルター１の少なくとも上下端部を該外側と内側のレールＲ１，Ｒ２の一方又は両方に向けて圧接するための枠体（内側枠体２、外側枠体３）を外側レールと内側レールとの間に嵌め込むようにした。【効果】  通常の窓は閉め切ったままで、換気小窓から内外気の換気が常に行え、フィルターによって部屋の外部からの花粉や塵埃が内部に流入することが防止される。【選択図】  図１
2005098085.tif 000002
【特許請求の範囲】
【請求項１】
窓の一部に設けられて該窓とは別に開閉自在とされた換気小窓に設けるフィルター装置であって、前記換気小窓の外側レールと内側レールとの間に、フィルターと、このフィルターの少なくとも上下端部を該外側と内側のレールの一方又は両方に向けて圧接するための枠体と、を設けたことを特徴とする換気小窓のフィルター装置。
【請求項２】
枠体として、フィルターの少なくとも上下端部を外側レールに向けて圧接するための内側枠体を複数設けたことを特徴とする請求項１に記載の換気小窓のフィルター装置。
【請求項３】
枠体として、フィルターの少なくとも上下端部を内側レールに向けて圧接するための外側枠体を設けたことを特徴とする請求項１又は２に記載の換気小窓のフィルター装置。
【請求項４】
外側枠体には、その面に通気孔が形成されていることを特徴とする請求項３に記載の換気小窓のフィルター装置。
【請求項５】
外側枠体と外側レールとを接着するようにしたことを特徴とする請求項３又は４に記載の換気小窓のフィルター装置。
【請求項６】
フィルターの全面に通気性弾性部材を設けたことを特徴とする請求項１〜５のいずれかに記載の換気小窓のフィルター装置。
【請求項７】
フィルターを圧接する箇所に弾性部材を設けたことを特徴とする請求項１〜６のいずれかに記載の換気小窓のフィルター装置。
【請求項８】
外側レールと内側レールの存在しない箇所に、断面コ字状の補助レールを設けることを特徴とする請求項１〜７のいずれかに記載の換気小窓のフィルター装置。
【発明の詳細な説明】
【技術分野】
【０００１】
本発明は、部屋の内外部を区画する窓の一部に設けられた換気小窓に取り付けるフィルター装置に関する。
【背景技術】
【０００２】
近年ではハウスシック症候群なるアレルギー反応が多発している。ハウスシックの原因としては、部屋の塵埃も含まれている。このため、住環境においては、頻繁に掃除をしたり空気を入れ換えたりする必要がある。
【０００３】
ところが、ハウスシック症候群とは別に、花粉などにアレルギー反応を示す者もあり、空気を入れ換える際に花粉が部屋の中に流入すると好ましくない。花粉などのアレルギー症状を外的に抑制するには、単純に窓を閉め切って外気が部屋に流入しないようにするか、部屋に流入した花粉を積極的に除去することである。
【０００４】
花粉などが部屋に流入することを防止するために、例えば以下の特許文献１には、網戸に枠を用いてフィルターを取り付けることが提案されている。
【特許文献１】特開平９−２３５９６２号公報
【発明の開示】
【発明が解決しようとする課題】
【０００５】
部屋内の塵埃によるアレルギー反応と、花粉によるアレルギー反応との両者の症状を外的に抑制しようとすると、内外気の交換を常に行いつつ、外気を取り入れる際には花粉や塵埃が部屋内に流入しないように対策を講じる必要があると言える。
【０００６】
内外気の交換を行うことができて虫などの異物が外部から流入しないようにするために一般的には網戸が用いられているが、花粉や塵埃といった微細な異物の流入を阻止するには目が粗すぎる。
【０００７】
特許文献１などのように網戸や窓の全面にフィルターなどを設けるといった構成では、フィルターの目が細かすぎるので採光効率が極端に低下したり、眺望の妨げになるといった問題がある。
【０００８】
また、特許文献１などにおいては、フィルターなどを設けるべき網戸、さらには窓のサッシの四隅において密閉性が悪く、該四隅のシール構造を強化しない限り、該四隅からフィルターが捲れて塵埃を含んだ空気が流通してしまうという問題がある。さらには、窓のサッシの四隅のシール構造を強化するにはコストが嵩むといった問題がある。
【０００９】
加えて特許文献１などは、フィルターの面積が大きいのでそれ相応のコストが嵩むし、通常の窓について設けるものであることから、常時開けておかないために換気効率が非常に悪い、逆に常時開けておくと防犯上の心配もある。
【００１０】
解決しようとする課題は、窓を閉め切った状態でも確実に内外気の交換が常に行え、かつ外気が部屋内へ流入する時に花粉や塵埃を確実に除去でき、そのうえ窓からの採光効率の低下と眺望が妨げられないようにすることにある。
【課題を解決するための手段】
【００１１】
本発明は、窓の一部に設けられて該窓とは別に開閉可能とされた換気小窓に着目し、この換気小窓を常時開放状態にして内外気の換気を行うようにしたとき、換気小窓の外側と内側のレールとの間にフィルターを嵌め込み、さらに、フィルターの少なくとも上下端部を該外側と内側のレールの一方又は両方に向けて圧接するための枠体を外側レールと内側レールとの間に嵌め込むようにした。
【発明の効果】
【００１２】
本発明は、上記の構成とすることで、通常の窓は閉め切ったままで、換気小窓から内外気の換気が常に行える。そして、フィルターによって部屋の外部からの花粉や塵埃が内部に流入することが防止される。もちろん、部屋を流通しようとする塵埃又は花粉などはフィルターによって吸着除去される。さらには、通常の窓にフィルターを設けているわけではないので、採光効率が低下することもなく、また、眺望を妨げることもない。
【発明を実施するための最良の形態】
【００１３】
以下、本発明を実施するための形態例を図１〜図１６を用いて説明する。
図１に示すように、Ｗは、通常の窓であり、この窓Ｗの一部には該窓Ｗとは別に開閉自在とされた換気小窓Ｗ１が設けられている。換気小窓Ｗ１は、本例では窓Ｗの上部において横幅全域にサッシュＳ（以下サッシＳと記す）が設けられている。
【００１４】
サッシＳにおいて、窓Ｗの約半分の横幅は、はめ殺しの窓ｗ１が設けられている。また、窓Ｗのさらに半分の横幅にはスライド式の窓ｗ２が設けられている。この窓ｗ２を水平方向、つまりはめ殺しの窓ｗ１の方向（以下、開方向という）へ移動させれば、窓ｗ２を開くことができる。
【００１５】
サッシＳには、図１（ｂ）に示すように、窓Ｗを取り付けた部屋の外部側（以下、外側と記す）に外側レールＲ１が、窓Ｗを取り付けた部屋の内部側（以下、内側と記す）に内側レールＲ２が設けられている。外側レールＲ１と内側レールＲ２は、共にサッシＳの上下端縁部において互いに対向し、かつ水平方向に設けられている。
【００１６】
なお、この外側レールＲ１と内側レールＲ２は、本例では窓ｗ１側に設けられている場合で説明する。このように、窓ｗ１の外側レールＲ１と内側レールＲ２とを使用することで、必要に応じて窓ｗ２を開閉することができる。もちろん、窓ｗ２側の外側レールＲ１と内側レールＲ２とを使用してもよい。
【００１７】
一方、窓ｗ２は、窓ｗ２側の上下部の外側レール（図示では内側レールＲ２）と内側レール（参照番号なし）の間に嵌め込まれている。こうした構成の換気小窓Ｗ１における窓ｗ２を開放した状態で、本発明の換気小窓のフィルター装置が図１（ｃ）のように取り付けられる。
【００１８】
１は、外側レールＲ１と内側レールＲ２との間に嵌め込むフィルターである。このフィルター１は、図２に示すように、圧力損失が小さく、塵埃及び花粉などの捕集効率の良い例えば不織布を用いる。そして、フィルター１は、外側レールＲ１及び内側レールＲ２の上下の対向間距離より若干だけ小さく予め設定されている。
【００１９】
あるいは、フィルター１は、本例では、前記対向間隔より大きめにされた状態のものを使用者によって、図２（ｂ）に示す切断線１ａ，１ｂに沿って、又は図１（ａ）の場合は任意箇所で切断する。
【００２０】
フィルター１の厚みは、外側レールＲ１と内側レールＲ２の間隔に入る程度の厚みにしておく。もちろん、フィルター１は、上記したように不織布など圧縮可能な素材であるため、厚みは外側レールＲ１と内側レールＲ２の間隔と同等、あるいは若干だけ大きくされていてもよい。この理由は、フィルター１によって後述する内側枠体２を内側レールＲ２に向けて圧接すると共にフィルター１自身を外側レールＲ１に向けて圧接させることができるからである。
【００２１】
２は、フィルター１を外側レールＲ１に圧接すべく、フィルター１の内側と内側レールＲ２との間に嵌め込む内側枠体である。この内側枠体２は、例えば図３に示すようなＴ字状や図示しないがＬ字状とされ、複数有している。この理由は、換気小窓Ｗ１の窓ｗ２のどのような寸法（特に横幅）にもフィルター１を外側レールＲ２に向けて的確に圧着するためである。
【００２２】
内側枠体２は、フィルター１が外側レールＲ１に向けて圧接され、フィルター１の形が維持でき、かつフィルター１を介した通気が可能であればよい。
【００２３】
また、図４に示すように、正面視ロ字状とされた内側枠体２Ａや、図５に示す正面視Ｉ字状とされた内側枠体２Ｂとを採用してもよい。さらには、図６に示すように縦横の寸法が異なる内側枠体２Ａ’を複数用いてもよい。
【００２４】
内側枠体２，２Ａ，２Ｂは、図７に示すように、その上下端部に例えば１ｃｍ間隔の水平な切断線２ａを、また、左右端縁部に例えば１ｃｍ間隔の垂直な切断線２ｂを、それぞれ形成しておけば、使用者がフィルター１に応じて切断線に沿って切断できるから微調整が容易となる。
【００２５】
これら図３〜図６に示した内側枠体２，２Ａ，２Ｂを混在させて採用することで、およそどのような幅のフィルター１にも対応させることができる。また、図７に示した切断線２ａ，２ｂが形成された内側枠体２，２Ａ，２Ｂを前記に加えてさらに混在させることでより一層微調整が容易となる。
【００２６】
さらに、図６に示すように、内側枠体２Ａ’については、ロ字状とされた縦横の寸法に差を設けてあるから、内側枠体２Ａ’のみでフィルター１の縦横寸法に応じて縦横を回転させて柔軟に対応させることができる。また、内側枠体２Ａは切断線２ａ，２ｂによる切断の仕方によっては内側枠体２Ａ’として使用することもできる。
【００２７】
フィルター１と、内側枠体２（内側枠体２で代表して説明する）との接触箇所には、図８に示すように、例えば接着剤や、面ファスナー２ｃなどを互いに設けておくことで、フィルター１と内側枠体２（以下、内側枠体２，２Ａ，２Ｂ，２Ａ’を総称して記す）を予め一体的にすることができ、よって、容易に外側レールＲ１と内側レールＲ２の間に嵌め込むことができる。
【００２８】
図９に示す３は、フィルター１の少なくとも上下端部を内側レールＲ２に向けて圧接するための外側枠体である。内側枠体２に加えて外側枠体３を採用することで、内側から外側へとかかる圧力によってフィルター１が外側へ外れたり、飛んでしまうことを防止できる。
【００２９】
もっとも窓ｗ２は常時空けていることが前提なので、急激に内側から外側への圧力が変化するようなことはないかも知れないが、窓ｗ２を常時空けており、内側枠体２だけでは不用心とされる場合もある。そこで、外側枠体３を設けて、フィルター１が外れにくくすると共に、窓ｗ２を常時開放していることによる安全面を改善することができる。
【００３０】
外側枠体３は、窓ｗ２の横幅に応じて少なくともフィルター１の上下端部を内側レールＲ２に圧接し、かつフィルター１の通気性を阻害しなければ枠そのものの形状は問わないが、例えば、図１０に示すようにフィルター１と対向する面に通気孔としての複数の孔３ｃが形成されていることで、フィルター１は孔３ｃ以外の箇所で支持されるからさらに外れにくくなり、かつ窓ｗ２における開放された開口が小さくなるから安全面をさらに改善することができる。
【００３１】
さらには、外側枠体３は、図示しないが、図９に示す状態のものにおいて、開口部分に網（通気孔）を設けたものでもよい。このようにしておけば、フィルター１に虫が付着して目づまりを起こすことを防止することができ、また、効率のよい換気が行える。
【００３２】
外側枠体３は、例えば図１１に示すように、水平な周縁部においては水平な切断線３ａを、垂直な周縁部においては垂直な切断線３ｂを形成しておけば、フィルター１の縦横幅に応じて容易に調整することができる。
【００３３】
また、外側枠体３は、例えば、図１２に示すように、該外側枠体３の外側で外側レールＲ１と接着する（接着箇所Ｐ）ことで、安全面をより一層強化することができる。
【００３４】
さらには、外側枠体３と、サッシＳにおける窓ｗ２の開方向との間に隙間が生じる場合は、図１３に示すような補助プレート３Ａを用いるようにしてもよい。
【００３５】
補助プレート３Ａは、窓ｗ２の開方向との間に隙間が生じる場合に用いて、隙間箇所を接着（接着箇所Ｐ）して隙間を埋める。
【００３６】
なお、内側枠体２及び外側枠体３、補助プレート３Ａは、素材として、アクリルや塩化ビニルで作成することが望ましい。この理由は、内側枠体２及び外側枠体３は窓ｗ２の上下の外側レールＲ１と内側レールＲ２との間に、垂直方向に撓ませて嵌め込むために柔軟性と復元力を要するからである。さらには、切断線２ａ，２ｂ及び３ａ，３ｂを形成している場合は、切断が容易だからである。
【００３７】
図１４に示す４は、フィルター１を圧接する箇所に挿入する弾性部材としての例えばゴム製のチューブである。このチューブ４は、内側枠体２のみによって、あるいは内側枠体２と外側枠体３によって、フィルター１を支持しても外側レールＲ１と内側レールＲ２との間の隙間が生じるときに採用する。なお、図１４は、フィルター１を内側枠体２によって外側レールＲ１に圧接する際に、チューブ４を内側枠体２と内側レールＲ２の間に挿入している状態を示す。
【００３８】
チューブ４は、例えば弾性を有し、フィルター１、内側枠体２、外側枠体３、外側レールＲ１、内側レールＲ２に対して滑りにくいゴム製のチューブを採用することで、確実にフィルター１を支持（外側レールＲ１と内側レールＲ２との間の隙間を埋める）することができる。
【００３９】
図１５に示す５は、フィルター１の全面に設けた通気性弾性部材としての例えば目の粗いスポンジである。このスポンジ５は、上記したチューブ４の代わりに外側レールＲ１と内側レールＲ２との隙間を埋めるために用いてもよいし、もちろんチューブ４と共に併用してもよい。
【００４０】
スポンジ５は、フィルター１の内側と外側のいずれか一方、又は両方の全面に重ねて用いる。このようにスポンジ５を採用することで、フィルター１による塵埃、花粉の除去機能を補助すると共に、外側レールＲ１と内側レールＲ２の隙間を埋めてより確実にフィルター１を窓ｗ２に支持させることができる。また、スポンジ５にも水平な切断線５ａ、垂直な切断線５ｂを形成しておいてもよい。
【００４１】
なお、以上の説明では、サッシＳは、外側レールＲ１と内側レールＲ２とを有していたが、サッシＳにおける窓ｗ２がはめ殺しであるために、外側レールＲ１と内側レールＲ２とを有していない場合がある。そのときは、図１６に示すように、側面視コ字状のレールＲ３をサッシＳにおける窓ｗ２の開閉方向端部に接着あるいは、ねじ止めして固定して、このレールＲ３における外側レールＲ１と内側レールＲ２を使用する。
【実施例】
【００４２】
以下に本発明の実施例と効果について説明する。
（実施例１）
フィルター１と、複数のＴ字状の内側枠体２とを用いた場合について説明する。
フィルター１をサッシＳにおける窓ｗ２を閉めた位置に取り付ける際には、まず、フィルター１を窓ｗ２と同程度の大きさに切断する。もちろんフィルター１が窓ｗ２と同じ大きさとなっている場合は切断する必要はない。
【００４３】
続いて、内側枠体２の縦幅をフィルター１と同じにすべくＴ字状の該内側枠体２の上下部分を水平に切断する。この切断は、切断線２ａが形成されている場合は、容易かつ正確に行うことができる。もちろん、フィルター１と内側枠体２の縦幅が同じ大きさとなっている場合は切断する必要はない。
【００４４】
さらに、そのように縦幅を調整したＴ字状の内側枠体２を上下交互に反転させて横幅に並べたときに、フィルター１の横幅方向の両端からはみ出した内側枠体２のＴ字状の水平部分を垂直に切断する。同様にこの切断は、切断線２ｂが形成されている場合は、容易かつ正確に行うことができる。もちろん、フィルター１と並べた内側枠体２全体の横幅が同じ大きさとなっている場合は切断する必要はない。
【００４５】
または、縦幅を調整したＴ字状の内側枠体２を上下交互に反転させて、適当な間隔を存して横幅に並べるようにしてもよい。適当な間隔を存してというのは、内側枠体２の数を調整して間隔を存して並べてフィルター１の横幅方向の両端からはみ出ないようにという意味である。なお、フィルター１における隅をしっかりとシールするためには、内側枠体２はできるだけ隙間を空けることなく並べることが望ましい。
【００４６】
以上の後、フィルター１を、上下に屈曲させて内側から外側レールＲ１と内側レールＲ２との間に嵌め込む。続いて、内側枠体２を、上下に屈曲させてフィルター１の内側で外側レールＲ１と内側レールＲ２との間に嵌め込む。
【００４７】
このようにすることで、窓ｗ２を常時開放しておいて常にフィルター１を介して該窓ｗ２を開状態とした箇所から換気が行われ、かつ内側と外側との空気の流通時にフィルター１によって塵埃、花粉などを除去するから、ハウスダスト症候群の軽減と、花粉症の軽減とを両方同時に行うことができる。
【００４８】
また、フィルター１、及び内側枠体２は、共に窓ｗ２の大きさに応じて、使用者自らの手で容易に調整可能で、しかも容易に嵌め込むことができるので、簡便、かつ低コスト、低労力にて使用することができる。
【００４９】
なお、実施例１において、サッシＳは、外側レールＲ１と内側レールＲ２とを有していたが、サッシＳにおける窓ｗ２において外側レールＲ１と内側レールＲ２とを有していない場合がある。そのときは、図１６に示すように、側面視コ字状のレールＲ３をサッシＳにおいて接着あるいは、ねじ止めして固定して、レールＲ３の外側レールＲ１と内側レールＲ２とを使用する。
【００５０】
例えば、レールＲ３を、サッシＳにおける窓ｗ２の開閉方向端部（左右端部）に設けることで、サッシＳにおいては上下端の外側レールＲ１と内側レールＲ２以外に窓ｗ２の開閉方向端部においてもレールＲ３でフィルター１や内側枠体２を嵌め込んでおくことができるから、より外れにくくなる。
【００５１】
もちろん、サッシＳにおいて上下端部に外側レールＲ１と内側レールＲ２が存在しない場合にレールＲ３を使用しても構わない。このようにしても、上記実施例１で説明した作用効果を阻害することなくより確実なものとすることができる。
【００５２】
（実施例２）
実施例１の構成にさらに、外側枠体３を用いた場合について説明する。
なお、実施例１と重複する説明については省略することとする。実施例２では、実施例１のように使用する前に、内側から正面視ロ字状の外側枠体３を外側レールＲ１と内側レールＲ２との間に嵌め込む。
【００５３】
外側枠体３を嵌め込むとき、窓ｗ２のサッシＳの寸法に対して予め余裕を持った寸法とされている場合は、窓ｗ２の大きさに応じて、外側枠体３の周縁部を切断して調整する。このとき、切断線３ａ，３ｂが形成されている場合は、この切断を容易かつ正確に行うことができる。もちろん、フィルター１と外側枠体３の縦幅や横幅が同じ大きさとなっている場合は切断する必要はない。
【００５４】
そして、外側枠体３を上下に屈曲させて、内側から外側レールＲ１と内側レールＲ２との間に嵌め込み、その後、実施例１の作業を行う。こうすることで、フィルター１は、外側レールＲ１と内側レールＲ２との間で、外側枠体３と内側枠体２との間で支持されることとなり、外側からの強風によってフィルター１が外れることがないのはもちろんのこと、内側から外側への圧力増加でフィルター１が外側へ外れることを防止できる。
【００５５】
上記では、外側枠体３として、正面視ロ字状のものを採用したが、例えば、複数の孔３ｃが形成されたパネル状のもの、網を設けたものを採用することで、より一層フィルター１が外側へ外れることを防止することができる。また、孔３ｃの大きさを調整しておけば、例えば外部からフィルター１を突き破る物体が飛んできたりしたときに、フィルター１の保護とその物体が内側に入ることの防止とを行うことができる。
【００５６】
また、上記では、外側枠体３を、内側から外側レールＲ１と内側レールＲ２との間に嵌め込んだままにしていたが、例えば、嵌め込んだ後に、図１２に示す接着箇所Ｐを例えばホットボンドなどで接着することで、フィルター１が外れないようにできる。また、孔３ｃが形成された外側枠体３を採用することの効果が確実となり、防犯効果も高くなる。
【００５７】
また、フィルター１を外側レールＲ１と内側レールＲ２との間に嵌め込む際に、補助プレート３Ａを用いてもよい。補助プレート３Ａを使用する際には、部屋の内側から外側枠体３を嵌め込み、その後、窓ｗ２の開方向に外側枠体３に続いて補助プレート３Ａを嵌め込み、補助プレート３Ａが接触する任意の箇所、例えば図１３に示す接着箇所Ｐを接着する。こうすれば、フィルター１をはめ込みやすくなり、また、隙間が確実に埋まる。
【００５８】
（実施例３）
実施例１の構成にさらに、チューブ４（弾性部材）を用いた場合について説明する。
なお、実施例１と重複する説明については省略することとする。実施例３は、実施例１のように使用する前に、フィルター１と内側枠体２とが重なった状態でなお外側レールＲ１と内側レールＲ２との間に隙間が生じ、フィルター１を嵌め込んでもその嵌め込んだ形状を維持できないときに、ゴム製のチューブ４を使用した場合についてである。
【００５９】
チューブ４は、例えば内側枠体２と内側レールＲ２の間に挿入する。このように、チューブ４の弾性力によって、外側レールＲ１と内側レールＲ２との間に確実にフィルター１及び内側枠体２とが嵌め込まれることとなる。
【００６０】
さらに、チューブ４は、外側枠体３を用いた場合には、例えば外側枠体３と外側レールＲ１との接触箇所に挿入してもよい。もちろん、内側枠体２と内側レールＲ２の間、外側枠体３と外側レールＲ１との間に、のそれぞれ挿入するようにしてもよい。
【００６１】
また、実施例３について、レールＲ３を採用したり、外側枠体３を用いたり、孔３ｃが形成された外側枠体３を用いたり、これら外側枠体３とサッシＳとを接着したり、補助プレート３Ａを用いたり、外側枠体３及び補助プレート３ＡとサッシＳとを接着したりする構成を、全部あるいは選択的に付加してもよく、その場合は、それぞれの作用効果を互いの作用効果を阻害することなく確実に得ることができる。
【００６２】
（実施例４）
実施例１の構成にさらに、スポンジ５（通気性弾性部材）を用いた場合について説明する。
なお、実施例１と重複する説明については省略することとする。実施例４は、実施例１のように使用する前に、フィルター１と内側枠体２とが重なった状態でなお外側レールＲ１と内側レールＲ２との間に隙間が生じ、フィルター１を嵌め込んでもその嵌め込んだ形状を維持できないとき、又は塵埃、花粉の除去能力の増大化を図るために、目の粗いスポンジ５を使用した場合についてである。
【００６３】
スポンジ５は、例えば周縁部に面テープが設けられており、フィルター１と貼着可能とされている。面テープが設けられていない場合は、市販の糊でフィルター１に周縁部を接着すればよい。なお、フィルター１とスポンジ５とを接着することは必須ではないが、接着しておくことで、フィルター１の厚みを増加させた状態で取り付けることができるから、取り付け時の作業性は向上する。
【００６４】
スポンジ５は、フィルター１と同じ大きさになるように切断する。この切断は、切断線５ａ，５ｂが形成されている場合は、容易かつ正確に行うことができる。もちろん、フィルター１とスポンジ５が同じ大きさとなっている場合は切断する必要はない。
【００６５】
なお、スポンジ５は、フィルター１の外側でも内側でも、あるいは内外両側でも、いずれに位置させてもよい。実施例４では、例えばスポンジ５をフィルター１の外側のみに設けた状況で説明する。
【００６６】
スポンジ５とフィルター１とを接着していない場合は、スポンジ５を先に内側から外側レールＲ１と内側レールＲ２との間に嵌め込み、また、スポンジ５とフィルター１とが接着している場合は、それらを一体として外側レールＲ１と内側レールＲ２との間に嵌め込む。
【００６７】
このようにすることで、フィルター１より粗い塵埃、花粉を除去する能力が向上し、また、フィルター１がすぐに目づまりするといったことを防止することができ、かつフィルター１自体が容易に破れてしまうといったことを防止することができる。
【００６８】
実施例４について、レールＲ３を用いたり、外側枠体３を用いたり、孔３ｃが形成された外側枠体３を用いたり、これら外側枠体３とサッシＳとを接着したり、補助プレート３Ａを用いたり、外側枠体３及び補助プレート３ＡとサッシＳとを接着したり、チューブ４を用いたりする構成を、全部あるいは選択的に付加してもよく、その場合は、それぞれの作用効果を互いの作用効果を阻害することなく確実に得ることができる。
【００６９】
（実施例５）
実施例１の構成にさらに、内側枠体２Ａ，２Ｂ，２Ａ’を用いた場合について説明する。なお、実施例１と重複する説明については省略することとする。実施例５は、実施例１で用いたＴ字状の内側枠体２に代えて、正面視ロ字状の又は縦横の寸法を異ならせた正面視ロ字状の内側枠体２Ａ，２Ａ’、正面視Ｉ字状の２Ｂ、を選択的に、あるいは全てを使用する。
【００７０】
まず、正面視ロ字状の内側枠体２Ａのみを複数用いるときは、内側枠体２Ａの縦幅をフィルター１と同じにすべくロ字状の該内側枠体２Ａの上下水平部分を水平に切断する。この切断は、切断線２ａが形成されている場合は、容易かつ正確に行うことができる。もちろん、フィルター１と内側枠体２Ａの縦幅が同じ大きさとなっている場合は切断する必要はない。
【００７１】
さらに、そのように縦幅を調整したロ字状の内側枠体２Ａを横幅に並べたときに、フィルター１の横幅方向の両端からはみ出した内側枠体２Ａのロ字状の垂直部分を垂直に切断する。同様にこの切断は、切断線２ｂが形成されている場合は、容易かつ正確に行うことができる。もちろん、フィルター１と並べた内側枠体２Ａ全体の横幅が同じ大きさとなっている場合は切断する必要はない。
【００７２】
または、縦幅を調整したロ字状の内側枠体２Ａを適当な間隔を存して横幅に並べるようにしてもよい。適当な間隔を存してというのは、内側枠体２Ａの数を調整して間隔を存して並べてフィルター１の横幅方向の両端からはみ出ないようにという意味である。なお、フィルター１における隅をしっかりとシールするためには、内側枠体２Ａはできるだけ隙間を空けることなく並べることが望ましい。
【００７３】
ロ字状であって縦横の寸法が異なる内側枠体２Ａ’のみを用いるときは、次のように使用する。内側枠体２Ａ’の縦幅をフィルター１と同じにすべく縦横反転させて寸法を合わせる。さらに、そのように縦幅を調整した内側枠体２Ａ’を横幅に並べるには、適当な間隔を存して並べればよい。適当な間隔を存してというのは、内側枠体２Ａ’の数を調整して間隔を存して並べてフィルター１の横幅方向の両端からはみ出ないようにという意味である。なお、フィルター１における隅をしっかりとシールするためには、内側枠体２Ａ’はできるだけ隙間を空けることなく並べることが望ましい。
【００７４】
Ｉ字状の内側枠体２Ｂのみを用いるときは、次のように使用する。内側枠体２Ｂの縦幅をフィルター１と同じにすべくＩ字状の該内側枠体２Ｂの上下部分を水平に切断する。この切断は、切断線２ａが形成されている場合は、容易かつ正確に行うことができる。もちろん、フィルター１と内側枠体２Ｂの縦幅が同じ大きさとなっている場合は切断する必要はない。
【００７５】
さらに、そのように縦幅を調整したＩ字状の内側枠体２Ｂを横幅に並べたときに、フィルター１の横幅方向の両端からはみ出した内側枠体２ＢのＩ字状の水平部分を垂直に切断する。同様にこの切断は、切断線２ｂが形成されている場合は、容易かつ正確に行うことができる。もちろん、フィルター１と並べた内側枠体２Ｂ全体の横幅が同じ大きさとなっている場合は切断する必要はない。
【００７６】
または、縦幅を調整したＩ字状の内側枠体２Ｂを適当な間隔を存して横幅に並べるようにしてもよい。適当な間隔を存してというのは、内側枠体２Ｂの数を調整して間隔を存して並べてフィルター１の横幅方向の両端からはみ出ないようにという意味である。なお、フィルター１における隅をしっかりとシールするためには、内側枠体２Ｂはできるだけ隙間を空けることなく並べることが望ましい。
【００７７】
そして、これら内側枠体２Ａ，２Ａ’，２Ｂを選択的に、あるいは全部を用いるときは、フィルター１の大きさに合わせるべく選択的にあるいは全部を採用した内側枠体２Ａ，２Ａ’，２Ｂを並べた際に、できる限り隙間なく並べる、切断する必要がなくなる、切断する箇所や回数が少なくなる、といった点を考慮すればよい。もちろん、正面視Ｔ字状の内側枠体２との併用も可能である。
【００７８】
このようにすることで、およそどのような寸法の窓ｗ２であっても対応させることができ、つまり極めて汎用性が高くなる。そして、窓ｗ２のある場合においては確実に塵埃、花粉を除去することができる。
【００７９】
実施例５について、レールＲ３を用いたり、外側枠体３を用いたり、孔３ｃが形成された外側枠体３を用いたり、これら外側枠体３とサッシＳとを接着したり、補助プレート３Ａを用いたり、外側枠体３及び補助プレート３ＡとサッシＳとを接着したり、チューブ４を用いたり、スポンジ５を用いたりする構成を、全部あるいは選択的に付加してもよく、その場合は、それぞれの作用効果を互いの作用効果を阻害することなく確実に得ることができる。
【産業上の利用可能性】
【００８０】
以上の説明では、通常の窓Ｗの一部に該窓Ｗとは別に開閉可能に存在する換気小窓Ｗ１においてスライド式の窓ｗ２を開放したサッシＳの位置にフィルター１を取り付けるようにしていたが、通常の窓Ｗ自体が非常に小さい、つまりフィルター１を嵌め込んで使用できる程度の寸法である場合は、そのような通常の窓Ｗからの採光や眺望について支障があるものの利用可能であり、そのときには上記と同等の作用効果を得ることができる。
【図面の簡単な説明】
【００８１】
【図１】本発明の換気小窓のフィルター装置が適用される窓を示す図であり、（ａ）は正面図、（ｂ）は要部断面図、（ｃ）は本発明を適用した状態を示す正面図である。
【図２】本発明の換気小窓のフィルター装置におけるフィルタを示し、（ａ）は切断線の無いものを、（ｂ）は切断線を有するものを、各々示す斜視図である。
【図３】本発明の換気小窓のフィルター装置における正面視Ｔ字状の内側枠体を示す斜視図である。
【図４】本発明の換気小窓のフィルター装置における正面視ロ字状の内側枠体を示す斜視図である。
【図５】本発明の換気小窓のフィルター装置における正面視Ｉ字状の内側枠体を示す斜視図である。
【図６】本発明の換気小窓のフィルター装置における正面視ロ字状であって縦横寸法の異なる内側枠体を示す斜視図である。
【図７】本発明の換気小窓のフィルター装置における切断線を有した内側枠体を示し、（ａ）は正面視Ｔ字状のもの、（ｂ）は正面視ロ字状のもの、（ｃ）正面視Ｉ字状のもの、の斜視図である。
【図８】本発明の換気小窓のフィルター装置における面ファスナーを有した内側枠体を示す斜視図である。
【図９】本発明の換気小窓のフィルター装置における外側枠体を示す斜視図である。
【図１０】本発明の換気小窓のフィルター装置における複数の孔を有した外側枠体を示す斜視図である。
【図１１】本発明の換気小窓のフィルター装置における切断線を有した外側枠体を示し、（ａ）は通常のもの、（ｂ）は複数の孔を有したもの、の斜視図である。
【図１２】本発明の換気小窓のフィルター装置において外側枠体と外側レールとを接着した例を示し、（ａ）は窓の外側から見た図、（ｂ）は（ａ）の断面図である。
【図１３】本発明の換気小窓のフィルター装置において補助プレートを取り付けた例を示し、（ａ）は窓の外側から見た図、（ｂ）は（ａ）の断面図である。
【図１４】本発明の換気小窓のフィルター装置において弾性部材を有した例を示す部分断面図である。
【図１５】本発明の換気小窓のフィルター装置においてフィルターにスポンジを貼着した例を示し、（ａ）は通常状態の斜視図、（ｂ）は切断線を有した状態の斜視図、である。
【図１６】本発明の換気小窓のフィルター装置において補助レールを採用した例を示す断面図である。
【符号の説明】
【００８２】
１  フィルター
２  内側枠体
２Ａ  内側枠体
２Ｂ  内側枠体
２Ａ’  内側枠体
３  外側枠体
３Ａ  補助プレート
４  チューブ（弾性部材）
５  スポンジ（通気性弾性部材）
Ｗ１  換気小窓
ｗ２  （スライド式の）窓
Ｒ１  外側レール
Ｒ２  内側レール
Ｒ３  レール
【図１】
2005098085.tif 000003
【図２】
2005098085.tif 000004
【図３】
2005098085.tif 000005
【図４】
2005098085.tif 000006
【図５】
2005098085.tif 000007
【図６】
2005098085.tif 000008
【図７】
2005098085.tif 000009
【図８】
2005098085.tif 000010
【図９】
2005098085.tif 000011
【図１０】
2005098085.tif 000012
【図１１】
2005098085.tif 000013
【図１２】
2005098085.tif 000014
【図１３】
2005098085.tif 000015
【図１４】
2005098085.tif 000016
【図１５】
2005098085.tif 000017
【図１６】
2005098085.tif 000018